(57)【要約】【課題】クイックリターンミラー機構を備え、撮像素子の広い範囲で測光や測距を可能とした撮像装置において、連続撮影速度を低下させることなく、ミラー裏面の内面反射とファインダー逆入光を防止できる遮光機構を提供すること。【解決手段】撮影レンズ（３００）と、前記撮影レンズの焦点面に設けた撮像素子（２０１）と、被写体観察時に、撮影光路内に位置して被写体光束の一部をファインダー光学系に導き、一部を撮像素子に導くハーフミラー（１０２）と、被写体撮影時に、前記ハーフミラーを撮影光路から待避して被写体光束を焦点面に導く、クイックリターンミラー機構と、前記ハーフミラーと平行に移動可能な、複数に分割された遮光羽根（１０６，１０７）と、で構成され、前記遮光羽根は、撮影後には前記ハーフミラーの端部より突出状態となり、ミラーボックス周囲からの入射光を遮蔽し、撮影中には前記ハーフミラーの透過部を遮蔽することを特徴とする。【選択図】図６
2016133683.tif 000002
【特許請求の範囲】
【請求項１】
撮影レンズ（３００）と、
前記撮影レンズの焦点面に設けた撮像素子（２０１）と、
被写体観察時に、撮影光路内に位置して被写体光束の一部をファインダー光学系に導き、一部を撮像素子に導くハーフミラー（１０２）と、
被写体撮影時に、前記ハーフミラーを撮影光路から待避して被写体光束を焦点面に導く、クイックリターンミラー機構と、
前記ハーフミラーと平行に移動可能な、複数に分割された遮光羽根（１０６，１０７）と、
で構成され、
前記遮光羽根は、撮影後には前記ハーフミラーの端部より突出状態となり、ミラーボックス周囲からの入射光を遮蔽し、撮影中には前記ハーフミラーの透過部を遮蔽することを特徴とする撮像装置。
【請求項２】
撮影後に、前記遮光羽根（１０６，１０７）が退避した際に、退避した遮光羽根を緩衝させる緩衝部材（１２２）を設け、前記緩衝部材は、前記遮光羽根の走行方向と、回転方向の衝撃を吸収することを特徴とする請求項１に記載の撮像装置。
【請求項３】
撮影時に、前記緩衝部材（１２２）はミラーアップ動作に連動して撮影光路から退避し、前記緩衝部材が撮影光路外に退避可能な凹部を、ミラーボックス下部に設けることを特徴とする請求項１又は請求項２に記載の撮像装置。
【請求項４】
撮影時に、前記ハーフミラーの退避動作に連動して前記遮光羽根が展開した際、前記遮光羽根が、撮影レンズと干渉することが無い動作軌跡を構成するカム部（１１２ａ）をミラーボックス側面部に設けることを特徴とする請求項１乃至請求項３の何れか一項に記載の撮像装置。
【発明の詳細な説明】
【技術分野】
【０００１】
本発明は、クイックリターンミラー機構を備えた撮像装置に関し、特にその内面反射防止構造に関する。
【背景技術】
【０００２】
従来、クイックリターンミラー機構を備えた一眼レフ式の撮像装置においては、クイックリターンミラーの中央部をハーフミラーとし、ハーフミラーに反射した光束をファインダー光学系により撮影者が観察し、ハーフミラーを透過した光束を反射させるサブミラーにより測光または測距を行うような構成が用いられていた。
【０００３】
そして、撮影時にはクイックリターン機構によりハーフミラーが撮影光路から退避した際、サブミラーでハーフミラー中央部を覆うことにより内面反射の防止とファインダーからの逆入光を防止することが可能となっていた。
【０００４】
また、サブミラーを用いず、観察時にはハーフミラーを通った光束を撮像素子に入射させて、撮像素子の出力により測光及び測距を行う構成とすれば、従来必要であった測光や測距を行うための専用の素子は不要となる。そして撮影時には、ハーフミラーを跳ね上げて全光束を撮像素子に入射させることにより、ハーフミラーでの光量損失がない撮影を可能とした撮像装置が提案されている。
【０００５】
しかしながら、サブミラーを用いない上述のような構成の撮像装置においては、撮影時の内面反射およびファインダーからの逆入光が問題となる。ハーフミラーが撮影光路から退避した際、ハーフミラーの裏面には反射防止処理を施すことが困難であるため、撮影光がその裏面で反射してしまう。そのため、撮像素子に不要な反射光が入射してフレアーが発生するという問題があった。また、撮像素子による測光や測距の演算が正しく行えないという問題も生じる。さらに、ファインダー側からも光が入射すると、退避したハーフミラーを透過してしまうので、同じく撮影画像のフレアーや測光、測距演算に影響してしまうという問題があった。
【０００６】
そこで、特許文献１では、クイックリターンミラー裏面の一部に複数の透過部を設け、クイックリターンミラーの動作に連動して透過部を開閉する遮光部材を配置する構成が提案されている。
【０００７】
また、特許文献２では、平行リンク機構を用いてクイックリターンミラーが観察位置にあるときには平行運動機構によって反射防止板が撮影光路の外の待避位置に保持され、クイックリターンミラーが撮影位置にあるときには平行運動機構によって反射防止板がクイックリターンミラーの背面に位置される構成とした撮像装置が提案されている。
【先行技術文献】
【特許文献】
【０００８】
【特許文献１】特公昭５９−９０９３７号公報
【特許文献２】特許第３７１３１４９号公報
【発明の概要】
【発明が解決しようとする課題】
【０００９】
しかしながら、上述の特許文献１に開示された従来技術では、クイックリターンミラー透過部は、複数に分割された、異なる大きさの穴部で構成されるため、撮像素子での測光や測距の位置が制限され、測光値のばらつきを生じやすく、任意の測距点が選択できないという問題がある。また、撮像面で被写体の顔や形状を検知して追尾し続けることも困難であり連写中の測距精度が低下するという問題がある。更には、透過光をライブビュー画像に使用することもできないという問題がある。
【００１０】
上述の特許文献２に開示された従来技術では、特許文献１の構成での問題点は解決可能な構成となっているが、クイックリターンミラー裏面を覆う反射防止板の動作領域が大きく、クイックリターンミラー動作に支障を来し、連続撮影速度を高速化できないという問題が生じてしまう。
【００１１】
そこで、本発明の目的は、クイックリターンミラー機構を備え、撮像素子の広い範囲で測光や測距を可能とした撮像装置において、連続撮影速度を低下させることなく、ミラー裏面の内面反射とファインダー逆入光を防止できる撮像装置を提供することにある。
【課題を解決するための手段】
【００１２】
上記の目的を達成するために、本発明の撮像装置は、
撮影レンズと、
前記撮影レンズの焦点面に設けた撮像素子と、
被写体観察時に、撮影光路内に位置して被写体光束の一部をファインダー光学系に導き、一部を撮像素子に導くハーフミラーと、
被写体撮影時に、前記ハーフミラーを撮影光路から待避して被写体光束を焦点面に導く、クイックリターンミラー機構と、
前記ハーフミラーと平行に移動可能な、複数に分割された遮光羽根と、
で構成され、
前記遮光羽根は、撮影後には前記ハーフミラーの端部より突出状態となり、ミラーボックス周囲からの入射光を遮蔽し、撮影中には前記ハーフミラーの透過部を遮蔽すること
を特徴とする。
【００１３】
また、
撮影後に、前記遮光羽根が退避した際に、
退避した遮光羽根を緩衝させる緩衝部材を設け、
前記緩衝部材は、前記遮光羽根の走行方向と、回転方向の衝撃を吸収することを特徴とする撮像装置である。
【００１４】
また、
撮影時に、前記緩衝部材はミラーアップ動作に連動して撮影光路から退避し、
前記緩衝部材が撮影光路外に退避可能な凹部を、ミラーボックス下部に設けることを特徴とする撮像装置である。
【００１５】
また、
撮影時に、前記ハーフミラーの退避動作に連動して前記遮光羽根が展開した際、
前記遮光羽根が、撮影レンズと干渉することが無い動作軌跡を構成するカム部を
ミラーボックス側面部に設けることを特徴とする撮像装置である。
【発明の効果】
【００１６】
本発明によれば、ハーフミラーで構成されるクイックリターンミラー機構を備えた撮像装置において、ハーフミラーと平行に開閉する遮光羽根を設けたので、連続撮影速度を低下させることなく、撮像素子で測光や測距を可能とし、撮影時に、ミラー裏面の内面反射とファインダー逆入光を防止できる撮像装置の提供を実現できる。
【００１７】
また、遮光羽根はハーフミラー端部を超えて退避するので、ハーフミラー開口部を広げることが出来る。
【００１８】
また、遮光羽根退避の衝撃を吸収できるので、撮影時の振動を抑えることができると共に耐久性を向上させることができる。
【００１９】
また、ミラーボックス下面から撮像素子への入射光を防ぐことが出来るので、逆光時等の撮像面での露出検出や焦点距離検出の精度を低下させることが無い。
【図面の簡単な説明】
【００２０】
【図１】実施例における撮像装置の断面模式図
【図２】実施例における撮影フローを示すフローチャート
【図３】実施例１における遮光羽根の駆動機構を説明する斜視図
【図４】実施例１における遮光羽根の駆動機構を説明する側面図
【図５】実施例２における遮光羽根の緩衝機構を説明する側面図
【図６】実施例２における遮光羽根の緩衝機構を説明する斜視図
【図７】実施例２におけるミラーボックスの全体像を示す斜視図
【図８】実施例２における撮影時の状態を示すミラーボックスの斜視図
【発明を実施するための形態】
【００２１】
以下に、本発明の好ましい実施の形態を、添付の図面に基づいて詳細に説明する。
【００２２】
（実施例１）
図１は本発明の一実施形態に係る図であり、一眼レフ撮像装置を左側面から見たときの断面模式図を示すものである。図２は実施例１における撮影フローを示すフローチャートである。以下、図１、図２を用いて、撮影の動作に沿って各主要部材の機能を説明する。
【００２３】
カメラ本体２００には、撮影レンズの焦点制御を行うＡＦモータ３０１と、絞り制御を行う絞りモータ３０２が備えられた撮影レンズ３００が装着されている。図１（ａ）は撮影前の被写体観察状態を示す。被写体像は、ハーフミラーを備えたミラーユニット１００によって、反射像はピント板２０３上に結像するとともに、透過像は撮像素子２０１に結像する。ピント板２０３に結像した像は、ペンタプリズム２０４および接眼光学系２０５を通し撮影者の眼球４００に入射する。
【００２４】
撮影動作がスタートすると、撮像素子２０１により、撮像面での測光演算（ステップＳ１）と測距演算（ステップＳ２）が行われ、カメラ内で露出演算を行うと共にＡＦモータ３０１を制御し、焦点制御（ステップＳ３）を行う。焦点制御が完了するまで、ステップＳ２からステップＳ３を繰り返す（ステップＳ４）。焦点制御が完了し、レリーズスイッチがＯＮとなると（ステップＳ５）、クイックリターン駆動（ステップＳ６）により、ミラーユニット１００が撮影光路上方に退避するとともに、ステップＳ１で演算された値まで絞り駆動が行われる（ステップＳ７）。また、直ちに撮像素子２０１による電子シャッター露光が行われ（ステップＳ８）、被写体像が撮像素子に入射し、画像記録が行われる（ステップＳ９）。記録された画像は、表示モニター２０２で確認することができる。図１（ｂ）がステップＳ９のカメラ状態を示す。
【００２５】
このとき、ミラーユニット１００の裏面側を、後述する遮光羽根で覆うようにし、被写体像の内面反射が撮像素子に入射しないようになっている。また、ファインダー側からの入射光もミラーユニット１００の裏面側に設けた遮光羽根により撮像素子に入射しないようになっている。その後、クイックリターン駆動によりミラーユニット１００が撮影光路に戻る（ステップＳ１０）とともに、絞りも開放駆動を行い（ステップＳ１１）撮影動作が終了する。尚、クイックリターン駆動の詳細については、一眼レフカメラの機構として公知であるので、ここでは省略する。
【００２６】
図３、図４を用い、上述したミラーユニット１００の詳細を説明する。図３は遮光羽根駆動機構を説明するために、遮光羽根をカバーするカバー板１１０を取り除いた状態を示すミラーユニット下方からの斜視図である。図４は遮光羽根の進退の移動タイミングを決めるカム部の構成を説明する右側面図である。
【００２７】
図３に示すように、ハーフミラー１０２を備えたミラー保持枠１０１は、ヒンジ軸１０３，１０４を中心軸とし、クイックリターン駆動によりドライブ軸１０５が駆動されることで回動する。ミラー保持枠１０１の撮影レンズ側にハーフミラー１０２、撮像面側にカバー板１１０（図３では不図示）が設けられる。ミラー保持枠１０１およびカバー板１１０の中央部には、ハーフミラーの透過開口を規定する形状の開口部が設けられ、ミラー保持枠１０１と、カバー板１１０の間の空間を移動可能に、反射防止処理された遮光羽根を備えている。
【００２８】
図３（ａ）、図４（ａ）はミラーユニットが撮影光路内に配置された状態を示し、被写体像は透過可能となっている。図３（ｂ）、（ｃ）および、図４（ｂ）、（ｃ）は、クイックリターン駆動によるミラー動作途中を示し、中央開口部の一部が遮光羽根で閉鎖されている状態となっている。図３（ｄ）、図４（ｄ）は、ミラーユニットが撮影光路から退避した状態を示し、中央開口部は遮光羽根により閉鎖されており、入射光がハーフミラー１０２の裏面で反射することを防止するとともに、ファインダーからの入射光も防止している。
【００２９】
次に、遮光羽根の構成について説明する。遮光羽根は、ミラー保持枠１０１に設けられた２つのアーム回転軸１０８ａ、１０９ａを回転中心とするアームＡ（１０８）、アームＢ（１０９）によるアーム部材と、かしめピンによりそれぞれに回転可能にかしめられた２つの遮光羽根（１０６）、（１０７）により構成され、平行リンク機構を成している。これら２つのアーム部材と複数の羽根部材による平行リンク機構による羽根の展開・退避動作については、フォーカルプレンシャッターの羽根構造として公知であるので動作の詳細はここでは省略する。
【００３０】
尚、アームＡ（１０８）には、引張バネ１１３が備えられ、部品のガタや振動などで遮光羽根が開口部に出てこないように遮光羽根を開口部から退避する方向に力が掛かるようになっている。
【００３１】
遮光羽根は、遮光羽根駆動レバー１１１を介して、ミラー保持枠の右側面に設けられたヒンジ軸プレート１１２のカム部１１２ａにより動作軌跡を規定され、ミラー保持枠１０１と、カバー板１１０（不図示）の間の空間を走行する。
【００３２】
次に、遮光羽根とクイックリターン駆動の連動動作について、図４を用いて説明する。遮光羽根駆動レバー１１１は、ヒンジ軸１０４とミラー保持枠を連結するヒンジ軸プレート１１２上に、回転軸１１１ａを中心としてヒンジ軸１０４と平行に、遮光羽根の走行面に対して垂直な平面を回転可能に配置される。そして、アームＡ（１０８）に設けた連結部１０８ｂの両端部と係合するように、二股形状を有している。
【００３３】
ミラーが撮影前の被写体観察状態のダウン状態の時には（図４（ａ））、遮光羽根駆動レバー１１１のピン１１１ｂが、ヒンジ軸プレート１１２のカム溝部１１２（ａ）の下端側に嵌合している。また、ミラーはミラー保持枠１０１の裏面側が位置決めピン１１４と接触状態にあり、ダウン状態を規定されている。さらには、遮光羽根１０６，１０７はミラー端部より先端側に突出して退避している。
【００３４】
撮影動作に伴ってミラーが撮影光路から退避していくと（図４（ｂ）、（ｃ））、遮光羽根駆動レバー１１１が、カム溝部１１２ａによりピン１１１ｂの移動を規制されることで左回転し、遮光羽根を展開させていく。このとき、遮光羽根１０６、１０７はミラー先端部より突出しているが、撮影レンズに接触することが無いように、カム溝部の軌跡が設定されている。つまり、ミラーが撮影光路から退避する回転角度に対して、遮光羽根の移動量が、前半の方が後半より大きくなるようになっている。
【００３５】
ミラーが撮影光路から退避すると（図４（ｄ））、遮光羽根は、ミラー中央部のハーフミラー開口部を遮蔽する。さらには、遮光羽根１０６，１０７はミラー端部より突出することが無いように配置される。
【００３６】
尚、ミラー退避動作時には、遮光羽根駆動レバー１１１を左回転させる際に図３に示した引張りバネ１１３に抗する力が必要となるが、ミラー退避動作力のほうが大きいため、ミラー退避動作時間への影響は軽微である。
【００３７】
以上、ミラーがダウン状態である撮影開始前の観察状態から、ミラーアップとなる撮影状態までの動作を説明したが、ミラーが再び撮影光路内に進入する動作は、上述した動作の逆を辿ることとなる。
【００３８】
上述のように、遮光羽根の移動方向は、ミラー保持枠のヒンジ軸に対して垂直な方向であり、且つミラー先端方向に収納退避されるようにしている。また、ミラー先端側に羽根を退避させた際、遮光羽根がミラー先端部より突出する構成としている。
【００３９】
これらの構成としたことで、被写体観察時にハーフミラー開口部を大きくすることができ、撮像面で被写体の顔や形状を検知して追尾し続ける領域や、透過光をライブビュー画像に使用する領域を広げることが可能となる。また、ミラー裏面の内面反射とファインダー逆入光を防止する遮光羽根の動作が、連続撮影速度を低下させることがない撮像装置を得ることができる。
【００４０】
（実施例２）
次に、図５〜図８を用いて、実施例１と異なる構成による本発明の実施形態を説明する。尚、実施例１とは基本構成は同一であるため、異なる点のみ詳細に説明する。
【００４１】
まず、図５、図６を用いて、遮光羽根駆動機構と緩衝部材の構造を説明する。図５は遮光羽根駆動機構と緩衝部材の構造を示す左側面図を示す。図６は上述の図５の構成による動作を説明する、ミラーユニット下方からの斜視図である。
【００４２】
以下、撮影動作の各状態に沿って各部材の動作を説明する。図５（ａ）、図６（ａ）はミラーユニットが撮影光路内に配置された状態を示し、被写体像は透過可能となっている。
【００４３】
ハーフミラー１０２の先端部から突出して退避した遮光羽根１０７は、断面をＬ字形状とした緩衝部材１２２と接触した状態となっている。緩衝部材１２２は、平面板部を有する緩衝部材ベース１２１に備えられ、緩衝部材ベース１２１は、軸１２０ａを中心として回転するアーム１２０と軸１２０ｂで連結している。また、緩衝部材ベース１２１には左回転に引張バネ１２３が掛けられている。
【００４４】
撮影終了後、ダウンバネ１３１の作用によりミラーユニットが撮影光路外から撮影光路内にダウン動作が行われ、遮光羽根がハーフミラーの開口部からミラー先端側に退避した際に、遮光羽根は、ミラーボックス下部に設けられた緩衝部材１２２に接触して停止する。このとき緩衝部材１２２は、遮光羽根の走行方向である力Ｆ１の方向の衝撃を吸収する。
【００４５】
また、ミラーユニットが左回転して撮影光路内に停止する際に、ミラー保持枠１０１が位置決め軸１１４に接触して停止するが、慣性力により力Ｆ２の方向に回転動作する遮光羽根を緩衝部材１２２で緩衝させ、遮光羽根回転方向の衝撃を吸収する。緩衝部材ベースには左回転方向に引張バネ１２３が掛けられており、この引張バネ１２３の作用によっても遮光羽根の回転方向の衝撃を吸収することができるようになっている。
【００４６】
次に、撮影動作開始により、ミラーユニットを撮影光路外に退避させる際、ミラーユニットをダウン方向に付勢するダウンバネ１３１に抗して不図示の駆動源によりドライブレバー１３０が回転軸１３０ａを中心として左回転することにより、カム部１０３ｂがミラードライブ軸１０５を押し上げていく。
【００４７】
図５（ｂ）、（ｃ）および、図６（ｂ）、（ｃ）はクイックリターン駆動によるミラー動作途中を示し、中央開口部の一部が遮光羽根で閉鎖されている状態となっている。ドライブレバー１３０には、アーム１２０のカム部１２０ｃと係合する軸部１３０ｃを備え、ドライブレバー１３０の左回転により、アーム１２０は右回転し、連結している緩衝部材ベース１２１および緩衝部材１２２を撮影光路から下方に退避させていく。
【００４８】
図５（ｄ）、図６（ｄ）はミラーユニットが撮影光路から退避した状態を示し、中央開口部は遮光羽根により遮蔽されており、被写体像がハーフミラー１０２の裏面で反射することを防止するとともに、ファインダーからの入射光も防止している。
【００４９】
さらには、緩衝部材ベース１２１および緩衝部材１２２も撮影光路から下方に退避した状態となっている。
【００５０】
撮像素子による被写体像の露光が終了すると、ミラーユニットおよび緩衝部材が再び撮影光路内に進入する。
【００５１】
図５（ｄ）、図６（ｄ）の状態から、ドライブレバー１３０が不図示の駆動源により右回転するとともに、ミラーユニットをダウン方向に付勢するダウンバネ１３１の作用によりミラーユニットが撮影光路内に進入する。
【００５２】
また、ドライブレバー１３０のピン１３０ｃがアーム１２０のカム部１２０ｃに係合することで緩衝部材ベース１２１、緩衝部材１２２が撮影光路から退避していたが、ドライブレバーの右回転により係合状態が解除され、引張バネ１２３の作用により、緩衝部材１２２が撮影光路内に進入する。
【００５３】
尚、ミラーユニットのダウン動作および遮光羽根の退避動作よりも、緩衝部材の復帰動作の方が速く行われるようにし、遮光羽根の退避動作と回転動作の衝撃を緩衝部材で緩和できるようになっている。
【００５４】
図５（ａ）、図６（ａ）の状態となり一連の撮影動作が終了する。
【００５５】
図７は上述のミラーユニットを備えるミラーボックスの構造を示す斜視図である。図７（ａ）はミラーユニットが撮影光路内に配置された撮影前状態を示す。このとき、ハーフミラー１０２によって、被写体像の一部は反射し、上方に備えるファインダーへ入射するとともに、一部は透過し、後方に備える撮像素子に入射する。ハーフミラー１０２の先端部より遮光羽根１０７が突出しており、ミラーボックス下面からの入射光を遮蔽している。また、遮光羽根の停止時の衝撃を緩衝させる緩衝部材１２２および緩衝部材ベース１２１も、ミラーボックス下面からの入射光を遮蔽するように遮光羽根より周囲を大きく構成している。
【００５６】
図７（ｂ）はミラーユニットが撮影光路外に退避した撮影時の状態を示す。このとき、遮光羽根はミラーとともにミラーボックス上方に退避している。また、緩衝部材１２２および緩衝部材ベース１２１が撮影光路外に退避可能な凹形状を、ミラーボックス下部に設けてあり、衝部材１２２および緩衝部材ベース１２１がミラーボックス下方に退避している。尚、衝部材１２２および緩衝部材ベース１２１は黒色とし、反射防止を図ると好適である。
【００５７】
図８は図７（ｂ）の状態を、ミラー裏面側が見えるようにミラーボックス下方から見た斜視図である。ミラーユニットはミラーボックス上方に退避し、ハーフミラーの開口部は、遮光羽根１０６、１０７で遮蔽されている。また、遮光羽根１０６、１０７と、アーム部材、かしめピン、及びカバー板１１０は、表面に反射防止処理を施すことで、内面反射を防止している。
【００５８】
以上、本発明の好ましい実施形態について説明したが、本発明はこれらの実施形態に限定されず、その要旨の範囲内で種々の変形及び変更が可能である。例えば、撮像素子の撮像領域と、ハーフミラーの中央部透過開口領域の大きさについては、適宜設定できるものとする。ここでは、透過開口領域を、撮像範囲より小さくし、撮影前の被写体観察状態ではファインダーでは被写体の全領域を観察し、撮像面での焦点検出や露出検出は中央部の領域で行えるようにした撮像装置としたが、透過開口領域が、撮像範囲全部を占めるようにしてもよい。
【符号の説明】
【００５９】
１００  ミラーユニット、１０１  ミラー保持枠、１０２  ハーフミラー、
１０３  ヒンジ軸、１０４  ヒンジ軸、１０５  ドライブ軸、１０６  遮光羽根、
１０７  遮光羽根、１０８  アームＡ、１０９  アームＢ、１１０  カバー板、
１１１  遮光羽根駆動レバー、１１２  ヒンジ軸プレート、１１３  引張りバネ、
１１４  位置決めピン、１２０  アーム、１２１  緩衝部材ベース、１２２  緩衝部材、
１２３  引張バネ、１３０  ドライブレバー、１３１  ダウンバネ、
２００  カメラ本体、２０１  撮像素子、２０２  表示モニター、２０３  ピント板、
２０４  ペンタプリズム、２０５  接眼光学系、３００  撮影レンズ、
３０１  ＡＦモータ、３０２  絞りモータ、４００  眼球
【図１】
2016133683.tif 000003
【図２】
2016133683.tif 000004
【図３】
2016133683.tif 000005
【図４】
2016133683.tif 000006
【図５】
2016133683.tif 000007
【図６】
2016133683.tif 000008
【図７】
2016133683.tif 000009
【図８】
2016133683.tif 000010